(57)【要約】      （修正有）【課題】浄活水装置の本体を箱型構造となし、浄活水装置本体を扁平状に形成して狭少な空間への配置を可能にし、また、多数の仕切り室の製作が容易な浄活水装置を提供する。【解決手段】上蓋と底蓋を備えた箱型本体と、箱型本体の内部に形成される並列した複数の仕切り室と、仕切り室の仕切り壁に備えたメッシュ部材又は仕切り室の仕切り壁に形成され仕切り室間を接続するストレーナー状の通孔と、箱型本体の端面に備えた入口及び出口と、各仕切り室に充填される浄化又は活水化する粒子を備え、入口から出口へと流体通路を形成している複数の仕切り室は同一面内でジグザグ状の迂回流路を形成している。  【選択図】図１
2006015252.tif 000002
【特許請求の範囲】
【請求項１】
上蓋と底蓋を備えた箱型本体と、箱型本体の内部に相互に連通状に形成される複数の並列した仕切り室と、仕切り室の仕切り壁に備えたメッシュ部材又は仕切り室の仕切り壁に形成され仕切り室間を接続するストレーナー状の通孔と、各仕切り室に充填される浄化又は活水化する粒子状の充填材と、箱型本体の側端面に備えた入口及び出口とを備え、前記入口と出口の間を前記複数の仕切り室がジグザグ状の迂回流路を形成していることを特徴とする浄活水機能賦与の箱型浄活水装置。
【請求項２】
請求項１において、それぞれ反対側に位置して取り外し自在な上蓋と底蓋を備えた箱型本体が中仕切り板によって上下２室に仕切って区切られ、さらに区切られた上下各室が各同一平面側でさらに複数の仕切り室に区切られ、各同一平面側における複数に区切られた仕切り室がジグザグ状の迂回流路を形成しており、入口又は出口が上下室のいずれかに個別に連通して設けられていることを特徴とする浄活水機能賦与の箱型浄活水装置。
【請求項３】
請求項１又は２において、箱型本体の内部に形成される並列した複数の仕切り室がジグザグ状に連通し、仕切り室の内部に浄化又は活水化する粒子を充填された箱型本体の複数個から構成され、箱型本体を相互に上下に積重ねたとき箱型本体が上下に連通する一つの通路を介して箱型本体の偏心位置で、枢軸を兼ねる円筒状の枢軸管により接続されていることを特徴とする浄活水機能賦与の箱型浄活水装置。
【請求項４】
請求項１ないし３のいずれかにおいて、複数の仕切室を形成する一部の仕切壁において、流れ方向に沿う面を持ち対をなす一方の仕切壁に、その対抗面で複数の差し込み溝を多段に形成すると共に、流れ方向に直行する面を持つ他方の仕切壁を前記差し込み溝に差し込み自在に構成し、一方の仕切壁に対して他方の仕切壁の差込み位置を変更可能に構成したことを特徴とする浄活水機能賦与の箱型浄活水装置。
【発明の詳細な説明】
【技術分野】
【０００１】
この出願の発明は、上水を浄水しかつ活水化する機能を賦与するための浄活水装置に係り、さらに詳細には、浄活水装置の設置空間が狭い空間の場合においても容易に適用することのできる浄活水装置の構造に関するものである。
【０００２】
本願発明の浄活水装置によれば、大きな設置場所を取らず、床下、壁空間、台所設備空間などの狭小な空間においても容易に設置が可能であり、また、設置場所によって浄活水装置における出口と入口の方向を変更し、設置姿勢を変更する必要がある場合であっても、出口入口の方向を任意に変更して設置することが可能であり、これによって設置形態の自由度を拡大し、設置上の使い勝手がよい浄活水装置を提供するものである。
【背景技術】
【０００３】
従来の浄活水装置は縦型の構造を有し、その設置に関しては、ビル等の建築物の階と階の間に形成された約６０ｃｍほどの必要な高さの狭い床下空間に設置する必要がある。また、浄活水装置を設置するに際して、設置空間を確保したとしても、台所の上方位置、側面、キッチン収納庫内または風呂シャワー配設位置近傍などにおいても、さらにメンテナンスの作業のための必要な空間すなわちPS空間を確保する必要があり、PS空間の確保をも考慮に入れて設計する必要があった。
【０００４】
近年、空間の有効利用の考えから、浄活水装置の設置場所も、階層間に形成されたスラブ空間や廊下に面した壁内空間が選定されるようになってきた。そして、従来のようにマンション等における浄活水装置の設置において、階層間に形成されたスラブ空間や廊下壁内空間の丈が高い場合にあっては、問題はなかったが、最近の住宅事情からマンションにおいても無駄な設置スペースを減少させる傾向にあり、近年、そのスラブ空間も３０ｃｍ程度の高さに制限された狭いものとなっている。このため、浄活水装置の設置される高さの低いスラブ空間のような狭い空間にも設置可能で、かつメンテナンスの作業のための必要な空間すなわちPS空間を確保できるようなコンパクトで小型の浄活水装置の開発が望まれていた。
【０００５】
また、台所等の収納箱内での設置において、台所設備の設置位置によって、水廻りの接続のための取り出し口を、左右前後自由に方向を変更できることが要求されるようにもなっている。
【特許文献１】特開２００３−３０５４５９号公報
【発明の開示】
【発明が解決しようとする課題】
【０００６】
この出願の発明は、上記の事情に鑑みてなされた発明であって、設置間隔狭い狭小なスラブなどの設置空間であっても、また、台所の上方位置、側面、キッチン収納庫内または風呂シャワー配設位置近傍などの設置空間であっても、必要な容易に設置可能であって、かつ、メンテナンスの作業のための必要な空間すなわちPS空間を十分に確保することのできるようにするための、小型でコンパクトな浄活水装置を提供することである。
【０００７】
また、狭小な空間にあっても適用可能な扁平な構造の浄活水装置を提供しながら、製造、組み立てが容易で、狭小な設置空間にあっても、設置場所を選ばず、容易に設置することのできる箱型浄活水機置を提供することである。
【課題を解決するための手段】
【０００８】
この出願の発明は、上記の課題を解決するために、上蓋と底蓋を備えた箱型本体と、箱型本体の内部に相互に連通状に形成される複数の並列した仕切り室と、仕切り室の仕切り壁に備えたメッシュ部材又は仕切り室の仕切り壁に形成され仕切り室間を接続するストレーナー状の通孔と、各仕切り室に充填される浄化又は活水化する粒子状の充填材と、箱型本体の側端面に備えた入口及び出口とを備え、前記入口と出口の間を前記複数の仕切り室がジグザグ状の迂回流路を形成していることを特徴とする浄活水機能賦与の箱型浄活水装置を提供する。  
【０００９】
より具体化的に、本願発明は、それぞれ反対側に位置して取り外し自在な上蓋と底蓋を備えた箱型本体が中仕切り板によって上下２室に仕切って区切られ、さらに区切られた上下各室が各同一平面側でさらに複数の仕切り室に区切られ、各同一平面側における複数に区切られた仕切り室がジグザグ状の迂回流路を形成し、入口又は出口が上下室のいずれかに個別に連通して設けた箱型浄活水装置や、箱型本体の内部に形成される並列した複数の仕切り室がジグザグ状に連通し、仕切り室の内部に浄化又は活水化する粒子を充填された箱型本体の複数個から構成され、箱型本体を相互に上下に積重ねたとき箱型本体が上下に連通する一つの通路を介して箱型本体の偏心位置で、枢軸を兼ねる円筒状の枢軸管により接続されていることを特徴とする浄活水機能賦与の箱型浄活水装置を提供する。
【００１０】
また、本願発明は、複数の仕切室を形成する一部の仕切壁において、流れ方向に沿う面を持ち対をなす一方の仕切壁に、その対抗面で複数の差し込み溝を多段に形成すると共に、流れ方向に直行する面を持つ他方の仕切壁を前記差し込み溝に差し込み自在に構成し、一方の仕切壁に対して他方の仕切壁の差込み位置を変更可能に構成したことを特徴とする浄活水機能賦与の箱型浄活水装置をも提供する。
【発明の効果】
【００１１】
以上、この出願の発明によれば、次のような効果が得られる。
（１）浄活水装置本体は、扁平構造の箱型であるため、設置空間が狭小な、例えば、スラブ空間の場合等の、狭小な空間であっても、その狭小設置空間への設置を可能となし得る。
（２）浄活水装置本体は、箱型本体を中仕切り壁を含むストレーナー部を形成した仕切り壁により仕切り室を簡単に形成し、この仕切り室内に適宜必要な浄化剤又は活性化剤を充填し、施蓋するのみで簡単に組立てられるので、浄活水装置本体の製作を容易に行うことができる。
（３）箱型本体の複数個を重畳組立てることができ、この重畳組立ての箱型本体においても簡単な構造を有しながら、浄化・活性化に必要な十分な通路長さを確保することができ、浄化・活性化を確実に図ることができる。
（４）浄活水装置本体が扁平な箱型であるため、在庫スペースの無駄がなく、保管が極めて容易であって、従来以上に在庫密度を上げ、効率的に保管することができ、また保管のための搬送作業、積み上げ作業等を容易に行うことができる。
（５）浄活水装置本体は扁平な箱形であるので、台所収納箱などの狭少な空間においても、配置・取付けが簡単にでき、任意の台として利用することも可能である。
（６）複数の仕切室を形成する一部の仕切壁に、一方の仕切壁の対抗面に複数対の凹溝を形成し、多段の溝を形成すると共に、他方の仕切り壁を差し込み自在に構成しているので、他方の仕切壁の差込み位置を変更し、仕切室の容積を変更し、充填材の容量を変えて、浄化能力や、活性能力を変えることができる。
（７）また、浄活水装置の使用法において、仕切り室に収容する充填材の種類を選択することによって、アレルギー性、生活習慣病にも効能を発揮するように対応させ、使用することも可能である。
（８）扁平な箱型浄活水装置本体は、その充填される濾材が小粒であるので、表面積が大きくとれ、また、相隣り合う仕切り室の各仕切り室において流入口と流出口は略対角線上の位置に設けることにより一層流通路長さを確保することができ、これに伴って流通路材によるろ過作用が有効に実施できるので、浄化・活性化を向上させることができる。
【発明を実施するための最良の形態】
【００１２】
この出願の発明の箱型浄活水装置によれば、平坦な箱型浄活水装置本体内には複数の並列配置される仕切り室が形成され、これらの仕切り室はジグザグ状の通路をなすように仕切られ、各仕切り室の出入口の形成位置を一直線にならないように、例えば一つの仕切り室の出入口の配置において、上方の入口に対して出口は下方になるように、位置を違えた配置に連通して接続され、箱型本体内で長いジグザグ状の迂回流路をなす流通経路が形成される。そして、任意の仕切り室には、浄化剤又は活性剤が充填されている。ここで浄水機能を有する濾過剤としては、竹炭、例えば銀蒸着ヤシ殻活性炭のような活性炭、ゼオポートが挙げられ、ゼオポートによって水中の鉛分が吸着される。また、活水機能を有する濾過材としては、マイナスイオンセラミックス、トルマリン、麦飯石、医王石などが挙げられる。
【００１３】
流体の浄化作用は、箱型本体の端面に備えた入口から、箱型の本体の内部に形成された仕切り室に充填した浄化又は活水化する粒子の層を通り、仕切り室の仕切り壁に備えたメッシュ部材及び仕切り室の仕切り壁に形成されたストレーナー状の通孔を通じて、箱型本体の端面に備えた出口へと流動する中で、一連のろ過、活性化が実行される。
【００１４】
また、一つの箱型本体において、この箱型本体は、中仕切り板によって上下2段に仕切られて形成された仕切り室を基本とする構造にしたり、また、中仕切り板の有無に拘らず、その箱型本体の複数個を相互に重畳積重ねるものとして組立てることもできる。箱型本体の複数個を相互に重畳積重ねる場合には、上下の箱型本体の接合箇所を連通する通路は、箱型本体の偏心位置に形成される。なお、角箱の上下の中間位置に中仕切り板部材を配設した場合には、中仕切りにしたので両側の面にそれぞれ仕切り室を形成し、各面から蓋を被せて一つの角箱とすることになる。
【００１５】
さらに、箱型本体が、相互に積重ねたとき上下に連通する通路を形成する複数の箱型本体から構成される場合には、上下に連通する通路を、枢軸を兼ねる円筒管によって構成し、枢軸管による接続構造を採用することができる。この枢軸を兼ねた円筒管による接続構造によれば、各重ね接続された箱型本体は枢軸管を軸として回動できるので、各箱型本体の端面に備えた入口又は出口の方向を、任意の変更して設置することが可能となる。
【００１６】
各仕切り室の間にはストレーナーとしても機能するメッシュ部材が取り付けられ、また、仕切り室の壁にストレーナが形成され、各仕切り室内には浄化又は活性化賦与に必要な各種の浄化剤、活性剤が充填される。浄化剤、活性剤としては、例えば、木炭６ａ、活性炭６ｂ、マイナスイオン発生セラミック６ｃ、マグネット磁鉄鉱６ｄ、トルマリン原石６ｅ、麦飯石６ｆを充填配設することができるが、これに限らずその他の濾過材料の組合せを用いることもできる。箱型本体の各仕切り室に濾過材を充填する場合において、実際に充填される濾過材料の種類については、使用者のニーズに合わせて適宜選択し、組み合わせることができる。
【００１７】
浄化剤、活性剤は、好ましくは、直径２〜５ｍｍφの麦飯石、直径３〜４ｍｍφのセラミックボール、直径２〜５ｍｍφの泰澄石、特殊セラミック、マグネットと磁鉄鉱石の別々が使用される。マグネットと磁鉄鉱石によって４０００ガウスの磁力が得られるものであった。マグネットは３、５、６mmの粒体を使用するときは磁鉄鉱石は不要であった。
【００１８】
各仕切室への濾材を充填する場合には、バラで入れることはもちろん、メッシュに袋詰めされた濾材を装填することも可能である。
箱型本体の底に備えた脚の数は通常４個を有するが、3個とすることも、5個以上とすることもできる。
【００１９】
メッシュ材ｍ１（図２（ｂ））、ｍ２（図１（ｂ））は、図示のように、ボルト・ナット等の締着具によるものが示されているが、本体の横にメッシュ部材を引き戸式に取り付けるための開口を形成するとともに、仕切り壁にメッシュ部材のガイドを形成し、これによってメッシュ部材を箱型本体に対しスライド式の取り付けを可能とし、メッシュ部材の交換を容易にすることもできる。なお、メッシュ部材又は各仕切り板のストレーナー状通孔に関するメッシュの大きさは、濾過剤や活性剤の粒子の大きさによって決められる。
【００２０】
上下積重ねた複数の箱型本体からなる箱型浄活水装置において、箱型浄活水装置の入口と出口を箱型本体端面の一側面に突出する入口管と出口管として備える場合は、入口管と出口管の中心を幅方向に外した位置にするのが好ましい。これによって、同一面におけるホースの接続作業に余裕をもたせることができる。
【００２１】
箱型本体は矩形をなしているので、台所シンク下の収納庫内部の適宜の面にスライド棚を設けることによって、差込み自在に取り付けることもできる。
ハウジング
【実施例１】
【００２２】
以下、この出願の発明を,図面を用いてさらに詳細に説明する。
図１、図２は、中仕切り壁(1c)を有する１つの箱型本体を持つ箱型浄活水装置を示す。この実施例において、図１(a)に示すように、箱型浄活水装置(K)は、扁平な箱型本体1がその内部空間を中仕切り壁1cにより上下2室に区分され、開放側を上蓋１ａ及び底蓋１ｂにより施蓋される構造を有する。そして、図１（a）の蓋１aを外した上方の室は、図１（ｂ）の平面図及び図２（ａ）の断面図に示すように、上方の空間においては、並行な長軸方向の壁によって４列の室c、d、、e、fに仕切られ、さらに、平行な４室のうち、c室とf室では、それぞれ流れ方向においてさらに仕切り壁で仕切られ、それぞれ複数の室ｃ１、ｃ２、ｆ１、ｆ２、ｆ３に区画されている。また、下方の空間にも同様に、図２（a）〜（c）に示すように、複数の仕切り壁によって平行な室ａ室ｂに区画され、2つの仕切り室が形成される。これによって、最終的に、上下２室は、下室の仕切り室ａ、ｂ、上室のｃ１、ｃ２、ｄ、ｅ、ｆ１、ｆ２、ｆ３を通って連続する一連のジグザグ状の迂回流路が形成される。
【００２３】
また、仕切り室を形成する仕切り壁には通口が多孔壁として形成され、図１（ｂ）、図２（ｂ）（ｃ）に示すように、仕切室の仕切り壁に通孔を有するストレーナーＳ１、Ｓ２、Ｓ３、Ｓ４、S５、Ｓ６を形成したり、別途メッシュ部材m１、m２をビスによって取り外し可能に取着したりすることができる。そして、箱型本体１の端面に入口３及び出口４を備え、入口３から出口４までは仕切り室を接続する一連の通路はジグザグ状の迂回流路として形成される。もちろん各仕切り室には通過する流水を浄化又は活水化するために種々の濾過材又は活水材としての粒子が充填される。
【００２４】
箱型本体１の底面には、箱型本体を支持するために、必要に応じ例えば、２対の脚５、６等（他の1対は図示省略）を備えることができる。
上蓋１ａ及び底蓋１ｂの取り付けはビス止めによって行われる。実際、この場合、図１（ｂ）に明示されるように、図１（ｂ）は蓋を取り外した状態を示すものであり、箱型本体１に一体に形成された支柱ｐに、ビス止め穴ｈが形成されており、支柱ｐのビス止め穴ｈにビス９をねじ込んで上蓋１ａ及び底蓋１ｂが施蓋される。なお、ビス止め穴ｈ付き支柱ｐは、図１（b）,図２(c)に示すように、箱型本体１の4隅と箱型本体１の側辺及び仕切り壁の適所に配設形成される。
【００２５】
箱型浄活水装置（Ｋ）内を流れる流体は、図１（b）に矢印で示すように、箱型本体１の入口３から流入し、本体の内部に形成され浄化又は活水化する粒子が充填された仕切り室ａ、ｂ、c１、c2、d、e、f1、f2、f3を経て、出口４より、浄活水化されて流出する。その際、図２(b）で示す下室部のメッシュ部材ｍ１を経て迂回し、次いで図１（b）で示す中仕切り板1cのメッシュ部材ｍ2を経て上室へと流入し、さらに仕切壁のストレーナーＳ１、Ｓ２、Ｓ３、Ｓ４、S５、Ｓ６を順に経てそれらの通孔を介して流通し、各仕切り室を接続するジグザグ状の迂回流路を通過するうちに、浄化ないし活水化される。
【００２６】
この実施例にいては、箱型本体１は、同一平面内において、縦横の仕切り壁の組み立てによって、図１（b）に示すような、各種の浄化又は活水化する粒子を充填した複数の仕切り室が形成され、上方の平面内及び下方の平面内に各形成された仕切り室を通じて通路は、特に図１（b）及び図２(a)、(c)に示すように、ジグザグ状に迂回する長い通路に形成されるものであって、最終的に両側から上蓋１ａ、底蓋１ｂの施蓋を施せば、箱型浄活水装置本体Ｋは簡単に組立てることができる。
【００２７】
この場合、組立てられた箱型浄活水装置本体Ｋは扁平の構造をなしているので、その設置場所に対応して、縦置きでも、横置きでも、任意の方向に設置することができ、また狭小な場所への設置が容易にできる。
【実施例２】
【００２８】
箱型本体１及び２として独立した箱構成をとるものとして、図３に示すような、箱型浄活水装置本体K1とすることができる。この実施例は、上記の実施例１において、箱型浄活水装置本体Ｋにおける中仕切り壁１ｃの上面部分の上室と下面部分の下室を２つに区分された独立の構造を有する箱型本体１及び２として組立てた構造とするものである。
【００２９】
この箱型浄活水装置本体K１の場合における、中仕切り壁１ｃとなる箇所で、下室の仕切り室ｂと上室の仕切り室ｃを接続する通路部分、具体的には、図１ｂのメッシュｍ２箇所に相当するように、箱型本体1の上蓋と箱型本体2の底蓋とは図３（a）、（ｃ）に略図的に示す自在の枢軸管８により枢支接続される。枢軸管８は図３（c）に示すように、箱型本体１の上蓋と箱型本体２下蓋を貫通し両部材を密封しながら、箱型本体１、２を回動自在に接続している。
【００３０】
この実施例の場合、メッシュｍ２に代替して、下室又は上室にメッシュｍ２を備える仕切り壁を新たに備えるか、枢軸管８の内通路にメッシュｍ２を備えることもできる。
この実施例２においては、図３(ｂ）に示すように、上下の独立した箱型本体１及び２の相互の方向を、枢軸管８部分を軸として、角度を変更することが可能であり、箱型本体１及び２の方向を自在に変更し、流体の出入口の方向を変更することが可能となる。
【００３１】
この実施例は、箱型浄活水装置本体の設置において、台所などの設置において流体の出入口の方向を変更する必要がある場合に、特に有効である。
【実施例３】
【００３２】
また、図４に示すように、上記実施例１の箱型浄活水装置本体Ｋにおいて、中仕切り壁１ｃを省略した一つの平面内のみで、入口３、仕切り室ａ、ｂ、c1、c2、d、e、f1、f2、f3を経て、出口４までの実施例１のジグザグ通路と同等の通路を形成した箱型浄活水装置本体Ｋ２を示すものである。
【００３３】
言い換えれば、上記実施例１の箱型浄活水装置本体Ｋにおける一方の面側の構造とした箱型浄活水装置本体Ｋ２であるともいうことができる。
この箱型浄活水装置本体Ｋ２において、ジグザグ通路を形成した箱型本体をもつ箱型浄活水装置本体Ｋ２となっている。この場合、箱型浄活水装置本体K２の端面に備える流体の入口３及び出口４は同じ面側に配置される。これは、流路を迂回させることによって、浄化活性化するに必要な通路長さを得るためのものである。要求される浄化活性化能力が比較的小さい場合には、互いに対向する反対側の面にそれぞれ入口３又は出口４を配設することもできることはもちろんである。
【実施例４】
【００３４】
仕切り室の形成について、図5に示すように、複数の仕切室を形成する一部の仕切壁、例えば、代表的にs1,s5で示す部材を、他の仕切壁の対抗面に形成された複数対の凹溝ｇに差し込み自在に形成することができる。この実施例によれば、複数対の凹溝ｇへの差込み位置を変えて仕切り壁を差し込むことによって、仕切室の容積を変更し、充填材の容量を変えて、浄化能力や、活性能力を変えることができる。
【図面の簡単な説明】
【００３５】
【図１】本願発明の第一実施例に係り、仕切られた上下二面の各面に仕切り室が形成された箱型の本体を有する箱型浄活水装置を示し、（ａ）は上下に仕切り室の形成された箱型浄活水装置の概要図を示し、（b）は箱型浄活水装置の上面の蓋を外したときの平面図を示す。
【図２】上記第一実施例の図１（b）に平面図で示した箱型浄活水装置の所定の位置における断面図を示し、（a）は図１（b）における矢視線Ａ−Ａに沿って見た正面図であり、（b）は、図１（b）における矢視線Ｂ−Ｂに添って見た縦断面図を示し、（c）は、図１（b）の矢視線C-Cに沿って見た縦断面図である。
【図３】箱型浄活水装置に係る第二実施形態の概要図であり、（a）は箱型本体が上下２段に重ねた箱型本体から構成され、相互に共通の枢軸管によって接続された箱型浄活水装置の概要図を示し、（b）は、枢軸管を介して上下２段に重ねて接続された箱型本体の、各箱型本体を相対的に回動して向きを変えた状態で示す箱型浄活水装置の概要図をそれぞれ示し、（c）は図３（a）の矢視線Ｄ―Ｄ位置における枢軸管部分の断面を示す。
【図４】箱型浄活水装置に係る第三実施形態の概要図であり、箱型の本体が一つの箱体に一つの平面を有し、当該平面内において複数の仕切り室が形成されている場合の概要図を示す。
【図５】箱型本体内部の仕切室を構成する仕切壁の変形例を示す模式図であり、一方の仕切壁の対抗面に形成した複数対の凹溝の一つを選んで、この凹溝に他方の差し込み自在の仕切り壁を差し込んだ状態を示す図である。
【符号の説明】
【００３６】
１  箱型本体
１ａ  上蓋
１ｂ  底蓋  
１ｃ  中仕切り板
２  箱型本体
３  入口
４  出口
５  脚
６  脚
７  脚    
８  枢軸管
９  ビス
ａ，ｂ，ｃ１，ｃ２，ｄ，ｅ，ｆ１，ｆ２，ｆ３    仕切り室
K，Ｋ１，Ｋ２    箱型浄活水装置
ｍ１，ｍ２    メッシュ部材
Ｓ１，Ｓ２，Ｓ３，Ｓ４，S５，Ｓ６  仕切り壁のストレーナー
ｐ  穴付き支柱
ｈ  ビス止め穴
【図１】
2006015252.tif 000003
【図２】
2006015252.tif 000004
【図３】
2006015252.tif 000005
【図４】
2006015252.tif 000006
【図５】
2006015252.tif 000007